(57)【特許請求の範囲】
【請求項１】
被記録媒体に記録を行う記録ヘッドを備え、主走査方向に往復動可能に設けられるキャリッジであって、
インクカートリッジを収容するインクカートリッジ収容室を形成するとともに当該インクカートリッジ収容室の上方に開口部を形成するキャリッジ本体と、
前記開口部を覆うカバーと、を備えて構成され、
前記カバーが、前記開口部の少なくとも上方を隙間無く覆う形状を有するとともに、当該カバーが半開きの状態において前記開口部の閉塞状態を維持し得るように、当該カバーの周囲に壁面が形成されている、
ことを特徴とするキャリッジ。
【請求項２】
被記録媒体に記録を行う記録ヘッドを備え、主走査方向に往復動可能に設けられるキャリッジであって、
インクカートリッジを収容するインクカートリッジ収容室を形成するとともに当該インクカートリッジ収容室の上方に開口部を形成するキャリッジ本体と、
前記開口部を覆うカバーと、を備えて構成され、
前記カバーが、前記開口部の少なくとも上方を隙間無く覆う形状を有するとともに、当該カバーが閉じた状態において前記インクカートリッジ収容室を形成する壁の上縁を外側と内側から挟み込む形状を有する、
ことを特徴とするキャリッジ。
【請求項３】
請求項１または２に記載のキャリッジにおいて、前記カバーの上面が、平坦な連続面によって形成されている、
ことを特徴とするキャリッジ。
【請求項４】
請求項１から３のいずれか１項に記載のキャリッジにおいて、前記カバーが、前記開口部の両サイドを覆う形状を成している、
ことを特徴とするキャリッジ。
【請求項５】
請求項１から４のいずれか１項において、前記カバーが、閉じた状態において前記インクカートリッジ収容室に収容されるインクカートリッジを前記インクカートリッジ収容室の底部に向けて付勢するよう構成されている、
ことを特徴とするキャリッジ。
【請求項６】
被記録媒体に記録を行う記録装置であって、請求項１から５のいずれか１項に記載の前記キャリッジを備えている、
ことを特徴とする記録装置。
【請求項７】
請求項６に記載の記録装置において、前記キャリッジのカバーが半開きの状態において当該カバーが前記記録装置の外観を構成する外装ケースと干渉可能に構成されている、
ことを特徴とする記録装置。
【発明の詳細な説明】
【技術分野】
【０００１】
本発明は、被記録媒体に記録を行う記録ヘッドを備えるとともに、主走査方向に往復動可能に設けられるキャリッジおよびこれを備えた記録装置に関する。また、本発明は液体噴射装置に関する。
【０００２】
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
インクジェット式記録装置としてのインクジェットプリンタ（以下「プリンタ」と略称する）は、インクを吐出するインクジェット記録ヘッド（以下「記録ヘッド」と略称する）をキャリッジの底部に備えている。キャリッジは略箱形の形状をなし、記録ヘッドへインクを供給するインクカートリッジを収容するインクカートリッジ収容室を形成する。そして、キャリッジは、主走査方向に往復動可能に設けられ、記録データに従って主走査方向への移動動作を行いながら、記録ヘッドによってインクが吐出され、記録が実行される。
【０００４】
ここで、インクカートリッジには、特許文献１に示すようにそのインクカートリッジに関する各種情報、例えばインクの色や残量等に関する情報を保持するＩＣチップが設けられることがある。そしてインクカートリッジがキャリッジに装着されると、インクカートリッジに取り付けられたＩＣがキャリッジ本体側に設けられた接点と電気的に接続するよう構成されており、これにより、プリンタ側の制御部が、前記ＩＣからインクカートリッジに関する情報を取り込み、或いは前記ＩＣにインクカートリッジに関する情報を書き込むことができる様になっている。そしてこれにより、インク残量がゼロに近づくと、プリンタ本体に設けられたインク残量警告灯を点灯させ、或いはプリンタドライバを介してコンピュータのディスプレー画面にインク残量に関する警告メッセージを表示させる等が可能となっている。
【０００５】
【特許文献１】特開２００３−２６６８９６号公報
【発明の開示】
【発明が解決しようとする課題】
【０００６】
ところで近年、プリンタには銀塩写真並の超高画質印刷を実行可能なものが普及し、また更なる高画質化を図るべく、ドットの更なる極小化が図られている。しかしこの様なドットの極小化に伴い、吐出されたインク滴が用紙に着弾する前にミストとなって浮遊してしまう問題が生じる。特に、用紙の四辺に余白無く印刷を行う所謂縁無し印刷では、用紙の端部から外れた領域にもインク滴を吐出するので、インクミストが顕著に発生する。
【０００７】
このインクミストは、プリンタの用紙搬送経路に付着することにより用紙を汚損する他、キャリッジ内部に侵入することにより、上述したインクカートリッジの各種情報を保持するＩＣが電気的に接続する接点に付着し、その結果正しい情報の読み書きが行えなくなるといった問題が生じることがある。  
そこで本発明はこの様な状況に鑑みなされたものであり、その目的は、インクミストがキャリッジ内に侵入することを防止可能なキャリッジを提供することにある。
【課題を解決するための手段】
【０００８】
上記課題を解決する為の、本発明の１つの態様は、被記録媒体に記録を行う記録ヘッドを備え、主走査方向に往復動可能に設けられるキャリッジであって、インクカートリッジを収容するインクカートリッジ収容室を形成するとともに当該インクカートリッジ収容室の上方に開口部を形成するキャリッジ本体と、前記開口部を覆うカバーと、を備えて構成され、前記カバーが、前記開口部の少なくとも上方を隙間無く覆う形状を有するとともに、当該カバーが半開きの状態において前記開口部の閉塞状態を維持し得るように、当該カバーの周囲に壁面が形成されていることを特徴とする。
また、本発明のもう１つの態様は、被記録媒体に記録を行う記録ヘッドを備え、主走査方向に往復動可能に設けられるキャリッジであって、インクカートリッジを収容するインクカートリッジ収容室を形成するとともに当該インクカートリッジ収容室の上方に開口部を形成するキャリッジ本体と、前記開口部を覆うカバーと、を備えて構成され、前記カバーが、前記開口部の少なくとも上方を隙間無く覆う形状を有するとともに、当該カバーが閉じた状態において前記インクカートリッジ収容室を形成する壁の上縁を外側と内側から挟み込む形状を有することを特徴とする。
また、本発明の第１の態様は、被記録媒体に記録を行う記録ヘッドを備え、主走査方向に往復動可能に設けられるキャリッジであって、インクカートリッジを収容するインクカートリッジ収容室を形成するとともに当該インクカートリッジ収容室の上方に開口部を形成するキャリッジ本体と、前記開口部を覆うカバーと、を備えて構成され、前記カバーが、前記開口部の少なくとも上方を隙間無く覆うよう形成されていることを特徴とする。本態様によれば、インクカートリッジ収容室上方の開口部を覆うカバーが、前記開口部の少なくとも上方を隙間無く覆うよう形成されていることから、浮遊して落下するインクミストがキャリッジ内部に侵入することを防止することができる。
【０００９】
本発明の第２の態様は、上記第１の態様において、前記カバーの上面が、平坦な連続面によって形成されていることを特徴とする。本態様によれば、前記カバーの上面が、平坦な連続面によって形成されていることから、キャリッジが主走査方向に往復動作する際のキャリッジ周囲の空気の乱れを抑制することができる。その結果、インクミストの浮遊状態の乱れを抑制することができ、インクミストの広範囲への飛散を防止可能となり、またキャリッジ内部へインクミストが侵入し難くなる。
【００１０】
本発明の第３の態様は、上記第１のまたは第２の態様において、前記カバーが、前記開口部の両サイドを覆う形状を成していることを特徴とする。本態様によれば、前記カバーが、前記開口部の両サイドを覆う形状を成していることから、前記開口部からのインクミストの侵入をより一層防止できる。
【００１１】
本発明の第４の態様は、上記第１から第３の態様のいずれかにおいて、前記カバーが、閉じた状態において前記インクカートリッジ収容室に収容されるインクカートリッジを前記インクカートリッジ収容室の底部に向けて付勢するよう構成されていることを特徴とする。本態様によれば、前記カバーが、閉じた状態においてインクカートリッジを収容室の底部に向けて付勢するので、インクカートリッジが前記インクカートリッジ収容室内に確実に固定され、インクカートリッジの各種情報を保持するＩＣを電気的に接触させる構成において接触不良を防止することができる。そして、前記カバーは前記開口部の上方を隙間無く覆う様に形成されていることから、前記カバーの剛性を高めることができ、従ってインクカートリッジをより確実に付勢することができる。  
本発明の第５の態様は、上記第１から第４の態様のいずれかにおいて、前記カバーが、半開きの状態において前記開口部の閉塞状態を維持し得るように、前記カバーの周囲に壁面が形成されていることを特徴とする。  
本態様によれば、カバーに形成された壁面によってカバーが半開きの状態においても前記開口部の閉塞状態が維持されるので、浮遊して落下するインクミストがキャリッジ内部に侵入することをより一層確実に防止することができる。尚、カバーが半開きの状態とは、カバーがその自重によって殆ど閉じていて前記開口部の上方を殆ど覆っているものの、キャリッジ本体に対しては非ロック状態にある、その様な状態を意味する。
【００１２】
本発明の第６の態様は、上記第１から第５の態様のいずれかにおいて、前記カバーが、閉じた状態において前記インクカートリッジ収容室を形成する壁の上縁を外側と内側から挟み込む形状を成していることを特徴とする。  
本態様によれば、前記カバーが、閉じた状態において前記インクカートリッジ収容室を形成する壁の上縁を外側と内側から挟み込む形状を成しているので、インクミストがキャリッジ内部に侵入することをより確実に防止することができる。
【００１３】
本発明の第７の態様は、被記録媒体に記録を行う記録装置であって、上記第１から第６の態様のいずれかに記載の前記キャリッジを備えていることを特徴とする。本態様によれば、記録装置において、上記第１から第６の態様のいずれかと同様な作用効果を得ることができる。
【００１４】
本発明の第８の態様は、上記第７の態様において、前記キャリッジのカバーが半開きの状態において当該カバーが前記記録装置の外観を構成する外装ケースと干渉可能に構成されていることを特徴とする。  
本態様によれば、半開きの状態にあるキャリッジのカバーが、前記記録装置の外観を構成する外装ケースと干渉可能に構成されていることから、前記カバーが半開きの状態であることをユーザに容易に認識させることができるとともに、前記カバーが半開きの状態のまま記録が実行されることを防止することができる。
【００１５】
本発明の第９の態様は、被噴射媒体に液体噴射を行う液体噴射ヘッドを備え、主走査方向に往復動可能に設けられるキャリッジを有する液体噴射装置であって、前記キャリッジが、インクカートリッジを収容するインクカートリッジ収容室を形成するとともに当該インクカートリッジ収容室の上方に開口部を形成するキャリッジ本体と、前記開口部を覆うカバーと、を備えて構成され、前記カバーが、前記開口部の少なくとも上方を隙間無く覆うよう形成されていることを特徴とする。
【発明を実施するための最良の形態】
【００１６】
以下、本発明の実施形態について図面を参照しながら説明する。以下では先ず、図１及び図２を参照しながら、本発明に係る記録装置或いは液体噴射装置の一例としてのインクジェットプリンタ（以下「プリンタ」と言う）１の概要について説明する。ここで、図１はプリンタ１の装置本体（外装ケースを取り外した状態）の外観斜視図、図２は同側断面図である。尚、以下では、図２の右方向（プリンタ前方側）を用紙搬送（給送）経路の「下流側」と言い、左方向（プリンタ後方側）を「上流側」と言うこととする。
【００１７】
プリンタ１は後部に「被記録媒体」、「被噴射媒体」の一例としての記録用紙（主として単票紙：以下「用紙Ｐ」と言う）を傾斜姿勢でセット可能な被記録媒体給送手段（以下「給送装置」と言う）２を備え、当該給送装置２から、用紙Ｐを下流側の被記録媒体搬送手段４へ向けて給送する。給送された用紙Ｐは被記録媒体搬送手段４によって下流側の記録手段３へ搬送され、記録が実行される。そして記録手段３によって記録の行われた用紙Ｐは、下流側の被記録媒体排出手段５によって装置前方へ排出される。
【００１８】
以下、プリンタ１の用紙搬送経路上の構成要素について更に詳説する。給送装置２は、ホッパ１１と、給送ローラ１２と、リタードローラ１３と、戻しレバー１４と、ペーパーサポート１５と、補助サポート１６と、可動エッジガイド１７、１８と、固定エッジガイド１９と、を備えて構成されている。
【００１９】
ホッパ１１は板状体から成り、上部の揺動支点（図示せず）を中心に揺動可能に設けられ、揺動することにより、ホッパ１１上に傾斜姿勢に支持された用紙Ｐを給送ローラ１２に圧接させる圧接姿勢と、給送ローラ１２から離間させる離間姿勢と、を切り換わる。回転駆動される給送ローラ１２は側面視略Ｄ形の形状を成し、その円弧部分によって圧接した最上位の用紙Ｐを下流側へ給送する一方で、用紙Ｐが給送された後の、被記録媒体搬送手段４による用紙Ｐの搬送中においては、搬送負荷を生じさせない様に図示する様にその平坦部が用紙Ｐと対向する様に制御される。
【００２０】
リタードローラ１３は、外周が弾性材によって形成され、給送ローラ１２の円弧部分と圧接可能に設けられ、且つ、所定の回転抵抗（トルク）が与えられた状態に設けられている。リタードローラ１３は用紙Ｐの重送が発生せずに、１枚だけ給送されている場合には、リタードローラ１３に前記回転抵抗以上のトルクが加わるので、給送ローラ１３に対して従動回転（図２の反時計回り）する。一方、用紙Ｐが給送ローラ１２とリタードローラ１３との間に複数枚存在する場合には、用紙間の摩擦係数が用紙Ｐとリタードローラ１３との間の摩擦係数よりも低いため、リタードローラ１３には前記回転抵抗以上のトルクが掛からず、回転せずに停止した状態となる。従ってこれにより、給送されるべき最上位の用紙Ｐにつられて重送されようとする次位以降の用紙Ｐが、リタードローラ１３から下流側へ進まずに、重送が防止される。
【００２１】
戻しレバー１４は、用紙Ｐの給送経路を側視して揺動可能に設けられていて、揺動することにより、重送されようとした次位以降の用紙Ｐをホッパ１１上に戻す作用を奏する。  
ペーパーサポート１５及び補助サポート部材１６は、ホッパ１１における用紙支持面を用紙Ｐの後端方向に延長して用紙Ｐの後端を支持する。  
可動エッジガイド１７、１８及び固定エッジガイド１９は、ホッパ１１において互いに対峙するように設けられ、用紙Ｐのエッジに当接して当該エッジの位置を規制する。可動エッジガイド１７、１８は、それぞれホッパ１１、ペーパーサポート１５において用紙Ｐの幅方向に変位（スライド）可能に設けられていて、これにより、用紙Ｐの幅寸法に適合した適切な位置に変位することが可能となっている。
【００２２】
次に、給送装置２と被記録媒体搬送手段４との間には、用紙Ｐの通過を検出する検出手段（図示せず）と、用紙Ｐの給送姿勢を形成するとともに用紙Ｐの給送ローラ１２への接触を防止して搬送負荷を軽減するガイドローラ２６が設けられている。  
給送装置２の下流側に設けられた被記録媒体搬送手段４は、図示しないモータによって回転駆動される搬送駆動ローラ３０と、該搬送駆動ローラ３０に圧接して従動回転する搬送従動ローラ３１とを備えて構成されている。
【００２３】
搬送従動ローラ３１は紙案内上２４の下流側端部に軸支され、その紙案内上２４は、用紙幅方向に複数並設されている。紙案内上２４は、軸２４ａがメインフレーム２３に軸支されることで、用紙搬送経路を側視して軸２４ａ中心に揺動可能に設けられるとともに、コイルばね２５によって、搬送従動ローラ３１が搬送駆動ローラ３０に圧接する揺動方向に付勢されている。
【００２４】
被記録媒体搬送手段４に到達した用紙Ｐは、搬送駆動ローラ３０と搬送従動ローラ３１とによってニップされた状態で搬送駆動ローラ３０が回転することにより、下流側の記録手段３へと搬送される。  
記録手段３は、インクジェット記録ヘッド（以下「記録ヘッド」と言う）３６と、当該記録ヘッド３６と対向するように設けられる紙案内下３７とを備えて構成される。記録ヘッド３６はキャリッジ５０の底部に設けられ、当該キャリッジ５０は主走査方向に延びるキャリッジガイド軸３４にガイドされながら、図示しない駆動モータによって主走査方向に往復動する様に駆動される。また、キャリッジ５０は、複数色の各色毎に独立したインクカートリッジ３５（図４参照）を搭載し、記録ヘッド３６へとインクを供給する。尚、キャリッジ５０の構成については、後に詳説する。
【００２５】
用紙Ｐと記録ヘッド３６との距離を規定する紙案内下３７には、記録ヘッド３６と対向する面にリブが形成されているとともに（図示せず）、インクを打ち捨てる凹部（図示せず）が形成されていて、用紙Ｐの端部から外れた領域に吐出するインクを前記凹部に打ち捨てることにより、用紙Ｐの端部に余白無く印刷を行う所謂フチ無し印刷が実行される。
【００２６】
続いて、記録ヘッド３６の下流側には、ガイドローラ４３と、被記録媒体排出手段５が設けられている。ガイドローラ４３は用紙Ｐの紙案内下３７からの浮き上がりを防止して用紙Ｐと記録ヘッド３６との距離を一定に保つ機能を果たす。被記録媒体排出手段５は図示しないモータによって回転駆動される排出駆動ローラ４１と、当該排出駆動ローラ４１に接して従動回転する排出従動ローラ４２とを備えて構成されている。本実施形態において排出駆動ローラ４１はゴムローラによって成されるとともに回転駆動される軸体の軸方向に複数設けられる。
【００２７】
また、排出従動ローラ４２は外周に複数の歯を有する歯付きローラによって成されるとともに、主走査方向に長い形状を成す排紙フレームＡｓｓｙ４５に、複数の排出駆動ローラ４１に対応するよう複数設けられる。記録手段３によって記録の行われた用紙Ｐは、排出駆動ローラ４１と排出従動ローラ４２とによってニップされた状態で排出駆動ローラ４１が回転駆動されることにより、装置前方（図示しないスタッカ）へ向けて排出される。
【００２８】
以上がプリンタ１の概要であり、以下、図３乃至図７を参照しながら、キャリッジ５０の構成について詳説する。ここで、図３はキャリッジ５０の斜視図、図４はキャリッジ５０のカバー５２を開いた状態の斜視図、図５はカバー５２を裏側から見た斜視図、図６及び図７はキャリッジ本体５１内部の斜視図である。
【００２９】
図３及び図４に示すように、キャリッジ５０はキャリッジ本体５１と、カバー５２とを備えて構成されている。キャリッジ本体５１は、複数の色毎に独立したインクカートリッジ３５ａ〜３５ｆ（以下適宜まとめて「インクカートリッジ３５」と言う）を収容するインクカートリッジ収容室５１ａ（図６及び図７参照）を形成すべく、樹脂材料によって箱状体に形成されている。キャリッジ本体５１の背面側には、キャリッジガイド軸３４（図２）が軸通する軸受部５１ｄ、５１ｄが設けられており、キャリッジ本体５１の前方側には、カバー５２の回動軸５２ｂ、５２ｂ（図５）を軸支する軸受部５１ｂ、５１ｂが形成されている。
【００３０】
インクカートリッジ収容室５１ａに収容される各インクカートリッジ３５ａ〜３５ｆには、それぞれのインクカートリッジに関する各種情報（インク色、インク残量等）を保持するＩＣ（図示せず）が設けられており、インクカートリッジ収容室５１ａの内側側壁には、各インクカートリッジ３５ａ〜３５ｅに設けられた前記ＩＣと電気的に接続する接点５３ａ〜５３ｅ（以下適宜総称して「接点５３」と言う）が設けられている（尚、図６では、インクカートリッジ３５ｆに対応する接点は見えない位置に設けられている）。
【００３１】
記録ヘッド３６は、キャリッジ本体５１の底部に設けられており、図示しないプリンタの制御部と記録ヘッド３６とを結ぶフレキシブル・フラット・ケーブル（以下「ＦＦＣ」と言う）５５が、図７に示すようにキャリッジ本体５１の側壁に形成された長穴５１ｅを介してキャリッジ外部から内部に取り込まれている。ここで、長穴５１ｅは図示するようにキャリッジ本体５１の側壁において高い位置に形成されており、これによりＦＦＣ５５と記録ヘッド３６との接続作業を、容易に行える様になっている。
【００３２】
インクカートリッジ収容室５１ａの上部開口を覆うカバー５２は、回動軸５２ｂ、５２ｂ（図５参照）を有し、当該回動軸５２ｂ、５２ｂが、キャリッジ本体５１に形成された軸受部５１ｂ、５１ｂに軸支されることで、キャリッジ本体５１に対して回動自在に設けられている。尚、２つの回動軸５２ｂ、５２ｂの先端の距離（軸長さ）は、軸受部５１ｂ、５１ｂ間の間隔よりも大きく形成されており、回動軸５２ｂ、５２ｂが一旦軸受部５１ｂ、５１ｂに軸支されると、回動軸５２ｂ、５２ｂは軸受部５１ｂ、５１ｂから容易に外れないように構成されている。
【００３３】
そしてカバー５２は、回動することにより、インクカートリッジ収容室５１ａの上部開口を覆う状態（図３）と、開放する状態（図４）とを切り換える。カバー５２において符号５２ｄは掛止フックを示しており、該掛止フック５２ｄが、キャリッジ本体５１に形成された被掛止部５１ｆに掛止することによって、閉じた状態が保持される様になっている。
【００３４】
尚、図４において符号５６はインクカートリッジ３５に形成された突起であり、カバー５２が閉じた状態となると、カバー５２に形成された押圧部５２ｇが、突起５６をキャリッジ５１本体の底部に向けて付勢する。これにより、インクカートリッジ３５がインクカートリッジ収容室５１ａに確実に保持され、特に各インクカートリッジ３５に設けられた前記ＩＣと、接点５３（図６）との接触状態が、確実に維持される様になっている。
【００３５】
カバー５２は、図３に示すようにその上面５２ａが平坦な連続面によって滑らかに形成され、裏面は、図５に示すように複数のリブ５２ｅ、５２ｆが格子状に配置された状態に形成されている。回動軸５２ｂ、５２ｂの近傍には、側壁５２ｃ、５２ｃが形成されており、当該側壁５２ｃ、５２ｃによって、インクカートリッジ収容室５１ａの上部開口の両サイドを覆う様になっている。以上のように構成されたカバー５２は、樹脂材料によって一体的に形成される。
【００３６】
以上の様に構成されたキャリッジ５０は、カバー５２が、インクカートリッジ収容室５１ａの上部開口の上方を隙間無く覆うように、即ち貫通穴等が一切形成されないよう構成されているので、浮遊して落下するインクミストがキャリッジ５０に侵入することを防止することが可能となっている。また更に、カバー５２は側壁５２ｃ、５２ｃによってインクカートリッジ収容室５１ａの上部開口を両サイドから覆うので、より確実にインクミストの侵入を防止できる。従ってこれにより、インクカートリッジ収容室５１ａの内部に配置された接点５３にインクミストが殆ど付着せず、常に適切に各インクカートリッジに設けられたＩＣから情報を読み込み、或いは情報を書き込むことができる。
【００３７】
また、カバー５２の上面５２ａが、平坦な連続面によって形成されていることから、キャリッジ５０が主走査方向に往復動作する際のキャリッジ５０周囲の空気の乱れを抑制することができる。その結果、インクミストの浮遊状態の乱れを抑制でき、インクミストの広範囲への飛散を防止でき、またキャリッジ５０内部へインクミストがより一層侵入し難くなる。
【００３８】
更に、カバー５２はインクカートリッジ収容室５１ａの上部開口の上方を隙間無く覆うよう形成されるとともに、その裏面が複数のリブ５２ｅ、５２ｆが格子状に配置された状態に形成されているので、カバー５２の剛性が向上し、これによってインクカートリッジ収容室５１ａに収容された各インクカートリッジ３５を、より確実にインクカートリッジ収容室５１ａの底部に向けて付勢することができ、即ちインクカートリッジ収容室５１ａの内部に配置された接点５３に、各インクカートリッジに設けられたＩＣを常に確実に接触させることが可能となる。
【００３９】
続いて、図８乃至図１１を参照しながらキャリッジ５０の他の実施形態について説明する。図８及び図９はそれぞれ他の実施形態に係るキャリッジ５０Ａ、５０Ｂの外観斜視図であり、いずれも（Ａ）はカバー閉状態を、（Ｂ）はカバー半開き状態を示している。また、図１０及び図１１はそれぞれ他の実施形態に係るカバー５２Ｃ、５２Ｄの形状を示す外観斜視図である。  
図８に示すキャリッジ５０Ａは、キャリッジ本体５１Ａと、カバー５２Ａとを備えて構成され、図９に示すキャリッジ５０Ｂは、キャリッジ本体５１Ｂと、カバー５２Ｂとを備えて構成されている。
【００４０】
キャリッジ本体５１Ａ及び５１Ｂは、上記キャリッジ本体５１と同様にその内部にインクカートリッジ収容室（図示は省略）が形成されている。カバー５２Ａ及び５２Ｂは、いずれも上記カバー５２と同様に、閉状態においてインクカートリッジ収容室（キャリッジ本体）の上部開口を隙間無く覆うように構成されているとともに、上面が平坦な連続面によって形成されている。これにより、上記カバー５２と同様な作用効果を得ることができる様になっている。尚、カバー５２Ａは前方側に回動軸（図示せず）を有し、前方側に向かって開く様キャリッジ本体５１Ａに設けられ、カバー５２Ｂは後方側に回動軸（図示せず）を有し、後方側に向かって開く様キャリッジ本体５１Ｂに設けられる。
【００４１】
カバー５２Ａ及び５２Ｂの特徴は、半開きの状態においても、インクカートリッジ収容室（キャリッジ本体）の上部開口を閉塞状態に維持し得る点にある。  
より詳しくは、例えば図８（Ｂ）はカバー５２Ａが半開きの状態を示しており、この半開きの状態において、カバー５２Ａの周囲に形成された壁面５２ｊにより、インクカートリッジ収容室（キャリッジ本体５１Ａ）の上部開口部の閉塞状態が維持され、これによって浮遊して落下するインクミストがキャリッジ内部に侵入することをより一層確実に防止することができる様になっている。図１１に示すキャリッジ５０Ｂについても同様に、カバー５２Ｂに形成された壁面５２ｋによって、インクカートリッジ収容室の上部開口部の閉塞状態が維持される。
【００４２】
ここで、カバー５２Ａが半開きの状態とは、カバー５２Ａがその自重によって殆ど閉じていてインクカートリッジ収容室（キャリッジ本体５１Ａ）の開口部の上方を殆ど覆っているものの、完全には閉じておらず、キャリッジ本体５１Ａに対して非ロック状態にある、その様な状態を意味する（図９のカバー５２Ｂについても同様）。例えば、図４のキャリッジ５０の場合では、掛止フック５２ｄが被掛止部５１ｆに完全に掛止しておらず、即ちカバー５２がキャリッジ本体５１に対して非ロック状態にあり、掛止フック５２ｄが被掛止部５１ｆの上部に乗り上がった状態のままカバー５２が自重によって静止している、その様な状態である。
【００４３】
ところで、上記カバー５２、カバー５２Ａ、５２Ｂは、いずれも半開きの状態においてプリンタ１の外観を構成する外装ケースと干渉可能に構成されている。例えば、図２において符号６は外装ケースの一部を示しており、符号５２’で示す様にカバー５２が半開きの状態になると、カバー５２と外装ケース６とが干渉する様になっている。従ってこれにより、カバー５２が半開きの状態であることをユーザに容易に認識させることができるとともに、カバー５２が半開きの状態のまま記録が実行されることを防止することができる様になっている（図８（Ｂ）、図９（Ｂ）に示す状態のカバー５２Ａ、５２Ｂも同様）。
【００４４】
尚、図８及び図９にそれぞれ示すカバー５２Ａ、５２Ｂは、図１０、図１１にそれぞれ示すカバー５２Ｃ、５２Ｄの様な形態とすることもできる。  
例えば図１０のカバー５２Ｃは、閉じた際にインクカートリッジ収容室５１ａを形成する壁の上縁５１ｇを壁部５２ｍ、５２ｎによって外側と内側から挟み込む様に構成されている。従って閉じた際にはキャリッジ本体５１Ａ内部へのインクミストの侵入をより一層確実に防止できる様になっている。図１１のカバー５２Ｄも同様に、閉じた際にインクカートリッジ収容室５１ａを形成する壁の上縁５１ｇを壁部５２ｍ、５２ｎによって外側と内側から挟み込む様に構成されているので、閉じた際にはキャリッジ本体５１Ｂ内部へのインクミストの侵入をより一層確実に防止できる様になっている。
【００４５】
尚このカバー５２Ｃ、５２Ｄは、既に説明したカバー５２Ａ、５２Ｂと同様に、半開きの状態においてインクカートリッジ収容室（キャリッジ本体）の上部開口を閉塞状態に維持し得るように構成されているとともに、半開きの状態においてプリンタ１の外観を構成する外装ケースと干渉可能に構成されており、既に説明したカバー５２Ａ、５２Ｂと同様の作用効果を得ることが可能となっている。
【図面の簡単な説明】
【００４６】
【図１】本発明に係るプリンタの装置本体の斜視図。
【図２】本発明に係るプリンタの側断面図。
【図３】本発明に係るキャリッジの外観斜視図。
【図４】本発明に係るキャリッジのカバーを開いた状態の斜視図。
【図５】カバーを裏側から見た斜視図。
【図６】キャリッジ本体内部の斜視図。
【図７】キャリッジ本体内部の斜視図。
【図８】本発明の他の実施形態に係るキャリッジの外観斜視図（（Ａ）はカバー閉の状態、（Ｂ）はカバー半開きの状態）。
【図９】本発明の他の実施形態に係るキャリッジの外観斜視図（（Ａ）はカバー閉の状態、（Ｂ）はカバー半開きの状態）。
【図１０】本発明の他の実施形態に係るカバーの形状を示す外観斜視図。
【図１１】本発明の他の実施形態に係るカバーの形状を示す外観斜視図。
【符号の説明】
【００４７】
１  インクジェットプリンタ、２  給送装置、３  記録手段、４  被記録媒体搬送手段、５  被記録媒体排出手段、６  外装ケース、１１  ホッパ、１２  給送ローラ、１３  リタードローラ、１４  戻しレバー、１５  ペーパーサポート、１６  補助サポート部材、１７、１８  可動エッジガイド、１９  固定エッジガイド、２３  メインフレーム、２４  紙案内上、２５  コイルばね、２６  ガイドローラ、３０  搬送駆動ローラ、３１  搬送従動ローラ、３４  キャリッジガイド軸、３５ａ〜３５ｆ  インクカートリッジ、３６  記録ヘッド、３７  紙案内下、４１  排出駆動ローラ、４２  排出従動ローラ、４３  補助ローラ、４５  排紙フレームＡｓｓｙ、５０  キャリッジ、５１ａ  インクカートリッジ収容室、５２  カバー、Ｐ  記録用紙
【図１】
0004826761.tif 000002
【図２】
0004826761.tif 000003
【図３】
0004826761.tif 000004
【図４】
0004826761.tif 000005
【図５】
0004826761.tif 000006
【図６】
0004826761.tif 000007
【図７】
0004826761.tif 000008
【図８】
0004826761.tif 000009
【図９】
0004826761.tif 000010
【図１０】
0004826761.tif 000011
【図１１】
0004826761.tif 000012